(57)【要約】【課題】放電路長の増大を図ると共に、分割したグローブの接合部を目立たなくすることが可能な電球形蛍光ランプおよびこの蛍光ランプを用いた照明器具を提供する。【解決手段】一端に口金１を備えたカバー２と；基端側に形成された開口端部６ｄがカバーに取り付けられ、頂端部６ｇ側に最大径部６ｃを基端側に最大径部より縮径した縮径部６ｅをそれぞれ有しており、縮径部側と頂端部側とが分割されていて互いに接合されており、縮径部側の内面には分割接合部６Ｘ３に略平行な段部６ｈが形成されたグローブ６と；グローブ内に収容された一対の電極を有するバルブ４ｄからなり、このバルブがグローブの最大径部にてグローブの縮径部内径よりも径大な部分を有するように形成された螺旋形部４ａを備えた発光管４と；カバー内に収容される点灯装置５と；を具備する電球形蛍光ランプを構成する。【選択図】        図１
2009104940.tif 000002
【特許請求の範囲】
【請求項１】
一端に口金を備えたカバーと；
基端側に形成された開口端部がカバーに取り付けられ、頂端部側に最大径部を基端側に最大径部より縮径した縮径部をそれぞれ有しており、縮径部側と頂端部側とが分割されていて互いに接合されており、縮径部側の内面には分割接合部に略平行な段部が形成されたグローブと；
グローブ内に収容された一対の電極を有するバルブからなり、このバルブがグローブの最大径部にてグローブの縮径部内径よりも径大な部分を有するように形成された螺旋形部を備えた発光管と；
カバー内に収容される点灯装置と；
を具備していることを特徴とする電球形蛍光ランプ。
【請求項２】
一端に口金を備えたカバーと；
基端側に形成された開口端部がカバーに取り付けられ、頂端部側に最大径部を基端側に最大径部より縮径した縮径部をそれぞれ有しており、縮径部側と頂端部側とが分割されていて互いに接合されており、縮径部側の外面には光拡散処理が施されたグローブと；
グローブ内に収容された一対の電極を有するバルブからなり、このバルブがグローブの最大径部にてグローブの縮径部内径よりも径大な部分を有するように形成された螺旋形部を備えた発光管と；
カバー内に収容される点灯装置と；
を具備していることを特徴とする電球形蛍光ランプ。
【請求項３】
一端に口金を備えたカバーと；
基端側に形成された開口端部がカバーに取り付けられ、頂端部側に最大径部を基端側に最大径部より縮径した縮径部をそれぞれ有しており、縮径部側と頂端部側とが分割されていて互いに接合されており、縮径部側若しくは頂端部側の内面には分割接合部に略平行な段部が形成され、外面には光拡散処理が施されたグローブと；
グローブ内に収容された一対の電極を有するバルブからなり、このバルブがグローブの最大径部にてグローブの縮径部内径よりも径大な部分を有するように形成された螺旋形部を備えた発光管と；
カバー内に収容される点灯装置と；
を具備していることを特徴とする電球形蛍光ランプ。
【請求項４】
ソケットが設けられた器具本体と；
この器具本体のソケットに装着された請求項１ないし３いずれか一記載の電球形蛍光ランプと；
を具備していることを特徴とする照明器具。
【発明の詳細な説明】
【技術分野】
【０００１】
本発明は、電球形蛍光ランプおよびこの蛍光ランプを用いた照明器具に関する。
【背景技術】
【０００２】
白熱電球などの一般照明用電球のソケットに装着可能な口金にカバーが設けられ、このカバー内のホルダにガラス管バルブを曲成して形成した蛍光ランプおよび点灯装置が取付けられると共に、この蛍光ランプをグローブで覆った電球形蛍光ランプが知られている。
【０００３】
従来の電球形蛍光ランプは、下記の特許文献１に示されるように、Ｕ字形に屈曲されたバルブを有する発光管、一端に口金を取り付け他端側で発光管を支持するカバー、このカバー内に収容される点灯装置、発光管を覆いカバーの他端側に取り付けられるグローブ等を有している。
【０００４】
近年では、さらに小型化を図るために、グローブ内の狭い空間内に配置される発光管を螺旋状に屈曲形成して放電路長の増大を図ったものが提案されている（例えば、特許文献２、３参照）。
【特許文献１】特開２０００−２１３５１号公報
【特許文献２】特開２００３−２６３９７２号公報
【特許文献３】特開２００３−３１１７９号公報
【発明の開示】
【発明が解決しようとする課題】
【０００５】
しかしながら、上記特許文献１ないし３などに示されるＵ字形または螺旋形の発光管を有する電球形蛍光ランプでは、発光管の終端部をカバー内に延在させてカバー内のホルダで支持する構成のため、カバーが大型化する問題が生じる。
【０００６】
特に、このカバーが大型化すると、白熱電球など一般照明用電球のシルエットに近似させる際に、白熱電球の細い根元部に対応する部分が太くなり、白熱電球に置き換えて使用することを目的とした電球形蛍光ランプの小型化のための最大の課題となっている。
【０００７】
さらに、カバーは発光管の光を透過させないために発光しない部分であり、発光管を支持するホルダの幅寸法が大きいとホルダの方向に照射された光が十分に反射されずに損失となり発光効率が低下し易くなる問題がある。
【０００８】
これに対し、図１０に示す電球形蛍光ランプが提案されている。この電球形蛍光ランプの発光管は、螺旋形部３０に連接して直線状の放電路３１、３１を形成してホルダ３２に支持されているので、根元部Ｎを細く形成することができ、白熱電球の細い根元部に近似させる形状に構成することができる。さらにバルブをグローブの最大径部に沿って螺旋形部を形成することができ、放電路長の増大を図ることができる。
【０００９】
しかし、グローブにおける縮径部３３の開口径より螺旋形部３０の最大径部の外径が大きいので発光管をグローブ内に挿入することができない。このため、グローブを縮径部側３３と頂端部側３４に分割し、分割された縮径部側３３に直線状の放電路３１、３１を挿入し、頂端部側３４を被せて分割した接合部を接着等により接合し固着することが考えられている。
【００１０】
しかしながら、接合部は超音波による溶接や接着剤によって接続されるが、接合部の境界線は完全に消えないことから外観上、特に点灯時おいて目立つことになる。このため、この種放電路の増大を図るためにグローブを分割して構成する電球形蛍光ランプにおいて、この接合部の境界線を如何にして目立たなくするかが重要な課題となっている。
【００１１】
本発明は、上記課題に対処するためになされたもので、放電路長の増大を図ると共に、分割したグローブの接合部を目立たなくすることが可能な電球形蛍光ランプおよびこの蛍光ランプを用いた照明器具を提供しようとするものである。
【課題を解決するための手段】
【００１２】
請求項１記載の電球形蛍光ランプは、一端に口金を備えたカバーと；基端側に形成された開口端部がカバーに取り付けられ、頂端部側に最大径部を基端側に最大径部より縮径した縮径部をそれぞれ有しており、縮径部側と頂端部側とが分割されていて互いに接合されており、縮径部側の内面には分割接合部に略平行な段部が形成されたグローブと；グローブ内に収容された一対の電極を有するバルブからなり、このバルブがグローブの最大径部にてグローブの縮径部内径よりも径大な部分を有するように形成された螺旋形部を備えた発光管と；カバー内に収容される点灯装置と；を具備していることを特徴とする。
【００１３】
本発明によれば、発光管は、バルブがグローブの最大径部にてグローブの縮径部内径よりも径大な部分を有するように形成された螺旋形部を備えたことにより放電路長の増大を図ることができる。
【００１４】
グローブは、縮径部側と頂端部側とが分割されていて互いに接合されており、縮径部側の内面には分割接合部に略平行な段部が形成されたので、分割したグローブの接合部を目立たなくすることが可能となる。
【００１５】
本発明において、グローブは、ポリカーボネート、アクリル、ポリエチレンテレフタレート、ポリエチレン等の透光性の合成樹脂やガラスなどの材料で作られ、要求される特性に応じ無色透明、着色または拡散などの手段が施されていてもよく、配光特性向上のためグローブなど、一部に反射膜などの反射手段が形成されていてもよい。
【００１６】
グローブの形状は、白熱電球など一般照明用電球のバルブと同じ外観形状を有するＡ形、Ｓ形、ＰＳ形などの通常涙滴形と呼ばれている形状やＧ形の球形をなすバルブと、同形ないしは略同形をなす類似形状である。また、このグローブ内に沿って配設されるバルブの連続した仮想外形は、このグローブと略同形の涙滴形ないしは球形をなすグローブ内面に沿って折り返されることでＵ字管を接続して組み合わせた従来のバルブよりも比較的長い放電路が得られるので発光効率が向上する。
【００１７】
グローブの縮径部側と頂端部側の分割は、グローブの最大径部でグローブの軸線に略直交方向に沿って分割されることが好ましいが、最大径部の近傍の縮径部側もしくは頂端部側で分割されていてもよく、軸線に直交せずに斜め方向に分割してもよい。また、分割は発光管の最大径部に一致したグローブの最大径部でグローブの軸線に略直交方向に沿って分割されることが好ましいが、発光管の最大径部に一致させることは必要条件ではなく、要は、発光管の最大径部が挿入できるように縮径部側と頂端部側で分割する全ての手段が許容される。
【００１８】
分割接合部に略平行な段部は、接合部の境界線に沿い縮径部側の内周面全周に周方向に連続して形成しても、不連続に形成してもよい。換言すれば、内周面に形成した段部の間に周方向に隙間を有していてもよい。段部は縮径部の上端開口から下端開口に亘り全体に等間隔または下方または上方に向かって間隔が徐々に広くなるように複数形成しても、分割線の近傍のみに１本または複数本形成してもよい。
【００１９】
段部は、凸条または凹条をなす断面形状が略三角形状の階段状をなしていることが好ましいが、断面が四角形状や半円形等の凸条または凹条で構成してもよく、特定の形状には限定されない。また、縮径部側に加え、頂端部側にも上述したと同様の段部を形成しても差し支えない。
【００２０】
発光管の螺旋形部は、外観形状を白熱電球のシルエットに近似させるために、バルブがグローブの最大径部にてグローブの縮径部内径よりも径大な部分を有するように形成された螺旋形部を少なくとも一部に有する略円錐台形の螺旋形に形成され、この螺旋形部に連接されてグローブの縮径部側に位置する直管部からなる短放電路部を有していることが好ましいが、短放電路は必要条件ではなく、例えば、特許文献３に示されるような略球状をなす螺旋形体であってもよい。
【００２１】
請求項２に記載の電球形蛍光ランプは、一端に口金を備えたカバーと；基端側に形成された開口端部がカバーに取り付けられ、頂端部側に最大径部を基端側に最大径部より縮径した縮径部をそれぞれ有しており、縮径部側と頂端部側とが分割されていて互いに接合されており、縮径部側の外面には光拡散処理が施されたグローブと；グローブ内に収容された一対の電極を有するバルブからなり、このバルブがグローブの最大径部にてグローブの縮径部内径よりも径大な部分を有するように形成された螺旋形部を備えた発光管と；カバー内に収容される点灯装置と；を具備していることを特徴とする。
【００２２】
本発明において、縮径部側の外面に施した光拡散処理は、縮径部側の外周面全周に周方向に連続して形成しても、不連続に形成してもよい。換言すれば、外周面に施した光拡散処理の間に周方向に隙間が形成されていてもよい。光拡散処理は縮径部の上端開口から下端開口に亘り全体に形成しても、分割線の近傍のみに形成してもよい。光拡散処理はフロスト加工、サンドブラスト、シボ加工等により細かい凹凸部を形成し、乳白色の状態にすることが許容されるが、形成手段は特に限定されない。また、縮径部側に加え、頂端部側にも上述したと同様の光拡散処理を施しても差し支えない。
【００２３】
請求項３に記載の電球形蛍光ランプは、一端に口金を備えたカバーと；基端側に形成された開口端部がカバーに取り付けられ、頂端部側に最大径部を基端側に最大径部より縮径した縮径部をそれぞれ有しており、縮径部側と頂端部側とが分割されていて互いに接合されており、縮径部側若しくは頂端部側の内面には分割接合部に略平行な段部が形成され、外面には光拡散処理が施されたグローブと；グローブ内に収容された一対の電極を有するバルブからなり、このバルブがグローブの最大径部にてグローブの縮径部内径よりも径大な部分を有するように形成された螺旋形部を備えた発光管と；カバー内に収容される点灯装置と；を具備していることを特徴とする。
【００２４】
本発明において、縮径部側の内面に分割接合部に略平行する段部を形成し、外面に光拡散処理を施すことが好ましいが、これに加え頂端部側の内面にも分割接合部に略平行する段部を形成し、外面にも光拡散処理を施すようにしてもよい。
【００２５】
さらに、縮径部側の外面に光拡散処理を施し、頂端部側の内面に分割接合部に略平行する段部を形成しても、逆に、縮径部側の内面に分割接合部に略平行する段部を形成し、頂端部側の外面に光拡散処理を施してもよい。
【００２６】
請求項４に記載の照明器具は、ソケットが設けられた器具本体と；この器具本体のソケットに装着された請求項１ないし３いずれか一記載の電球形蛍光ランプと；を具備していることを特徴とする。
【００２７】
本発明において、器具本体は天井直付形、天井吊下形または壁面取付形などであって、本体に制光体としてグローブ、セード、反射体などが取付けられるものであっても、蛍光ランプが露出するものであってもよい。また、照明器具は器具本体に１個の電球形蛍光ランプを取付けたものに限らず、複数個の蛍光ランプが配設されるものであってもよい。
【発明の効果】
【００２８】
請求項１記載の発明によれば、発光管は、バルブがグローブの最大径部にてグローブの縮径部内径よりも径大な部分を有するように形成された螺旋形部を備えたことにより放電路長の増大を図ることができ、グローブは、縮径部側と頂端部側とが分割されていて互いに接合されており、縮径部側の内面には分割接合部に略平行な段部が形成されているので、分割したグローブの接合部を目立たなくすることが可能となる。
【００２９】
請求項２記載の発明によれば、発光管は、バルブがグローブの最大径部にてグローブの縮径部内径よりも径大な部分を有するように形成された螺旋形部を備えたことにより放電路長の増大を図ることができ、グローブは、縮径部側と頂端部側とが分割されていて互いに接合されており、縮径部側の外面には光拡散処理が施されているので、分割したグローブの接合部を目立たなくすることが可能となる。
【００３０】
請求項３記載の発明によれば、発光管は、バルブがグローブの最大径部にてグローブの縮径部内径よりも径大な部分を有するように形成された螺旋形部を備えたことにより放電路長の増大を図ることができ、グローブは、縮径部側と頂端部側とが分割されていて互いに接合されており、縮径部側若しくは頂端部側の内面には分割接合部に略平行な段部が形成され、外面には光拡散処理が施されているので、分割したグローブの接合部を一層目立たなくすることが可能となる。
【００３１】
請求項４記載の発明によれば、照明器具は、請求項１ないし３いずれか一記載の電球形蛍光ランプを用いているので、器具の配光を白熱電球など一般照明用電球の配光に近似または同一となすことができ、照明器具内に配置されたソケット近傍の反射体への光の照射量が充分に確保され、反射体の光学設計通りの器具特性を得ることができる。
【発明を実施するための最良の形態】
【００３２】
以下本発明に係る電球形蛍光ランプおよびこの蛍光ランプを用いた照明器具の実施形態について図に従い説明する。
【実施例１】
【００３３】
本実施例は、例えば定格ランプ電力が１０Ｗで、白熱電球６０Ｗに相当する電球形蛍光ランプＬ１で、Ｅ型と呼ばれるねじ込み形の口金１、この口金に一端側を接着剤や、かしめなどの手段で固定されたカバー２、このカバー内に固定されたホルダ３、ホルダに支持され蛍光ランプを構成する発光管４、カバー２内に収容される点灯装置５、発光管４を覆うグローブ６などからなる。
【００３４】
なお、以下、発光管４を上側、口金１を下側にして説明する。  この発光管４は、上部に形成された螺旋形部４ａと、下部に形成された略直線形状をなす一対２本の直管部４ｂ、４ｃとを有し、これらを一体に連接して構成する。
【００３５】
螺旋形部４ａは、管外径が６〜９ｍｍ、例えば、８．５ｍｍの直状円管状のガラスバルブ４ｄを、ほぼ等分の２つ折りに折曲し、その等分位置の折返し部４ｆを頂部として、図示しない金型に巻き付けて、異なる径の重ね合わせで、同心軸上に広がりをもった略円錐台形状の２重螺旋形にモールド成形する。
【００３６】
より詳細には、図３に示すように螺旋形部４ａは、ガラスバルブ４ｄの一方の端部４ｇから螺旋形部の旋回軸ｏ−ｏ（以下「ランプ軸ｏ−ｏ」と称する）回りに螺旋径を順次縮小し旋回しながら上方の頂部である折返し部４ｆに至る第１の旋回部Ａと、この折返し部４ｆの他端から旋回軸ｏ−ｏ回りに螺旋径を順次拡大し旋回しながら他方の端部４ｈに至る第２の旋回部Ｂとを有する２重螺旋形状を有するように、例えば、ほぼ２周旋回（ターン数）している。
【００３７】
これにより、螺旋形部４ａは、外側の仮想形状が略円錐台形をなし、螺旋形部には、その下方に径大な螺旋径部からなる最大径部４ｉを有する形状に構成され、かつこれら螺旋形状により小型でありながら長い放電路を有して形成される。
【００３８】
この螺旋形部４ａは、発光管４がグローブ６内に収容された際に、グローブの最大径部６ｃを含む頂端部６ｇ側に、最大径部６ｃの内面に沿って位置して配置され、最大径部４ｉはグローブ６の縮径部６ｅの内径より径大な螺旋径部を構成している。
【００３９】
さらに、２重螺旋形状の螺旋終端部から、ガラスバルブ４ｄの両端部４ｇ、４ｈを、ランプ軸ｏ−ｏに略平行に下方に向けて略直角に折曲げ、螺旋形部４ａより放電路が短い略直線形状をなす一対２本の直管部４ｂ、４ｃを形成し、ガラスバルブ４ｄの直管部４ｂ〜螺旋形部４ａ〜直管部４ｃに至る、より一層長い１本の連通した放電路が形成される。
【００４０】
この一対の直管部４ｂ、４ｃは、発光管４がグローブ６内に収容された際に、グローブの縮径部６ｅ側に位置して配置されるように、一対の直管部の外側が描く仮想円形の直径Φ２（図３（ａ））が、螺旋形部４ａにおける最大径部４ｉの直径Φ１よりも小さくなるように形成する。
【００４１】
上記に構成されたガラスバルブ４ｄの両端部となる、直管部４ｂ、４ｃの両端部４ｇ、４ｈに一対の電極４ｑ、４ｒを、それぞれ封装して電極封止端部４ｓ、４ｔを形成する。
【００４２】
一対の電極４ｑ、４ｒは、例えばタングステン製のフィラメントコイル電極が使用されており、例えばビーズガラスにより仮止めされた状態でガラスバルブ４ｄ両端部の電極封止端部４ｓ、４ｔに封着される。
【００４３】
ガラスバルブ４ｄは、その内面に希土類金属酸化物等からなる蛍光体膜をほぼ全長に亘って形成し、内部にはアルゴンやクリプトン等の放電媒体が封入されており、一対の電極封止端部４ｓ、４ｔの下面には、その内部に連通する細管４ｕ、４ｖが突設され、細管内には水銀またはアマルガムが収容されている。
【００４４】
なお、螺旋形部４ａの頂部である折返し部４ｆは、そのガラスバルブ直径を第１、第２の旋回部Ａ、Ｂの直径よりも大径の膨出部に形成し、この膨出部から排気用の細管４ｗが突設されている。なお、この膨出部に最冷部を形成するようにしてもよい。また、細管４ｗ内に水銀またはアマルガムを収容するようにしてもよい。
【００４５】
上記により、径大な螺旋径部からなる最大径部４ｉを有する略円錐台形の螺旋形部４ａと、螺旋形部の下部、換言すれば、白熱電球の根元部Ｎに対応する位置に、一対の直管部４ｂ、４ｃを有し、外側全体の仮想外形が略キノコ形をなす発光管４が構成される。
【００４６】
このように構成された発光管４の具体構成の一例は、次のとおりである。（図２）すなわち、電球形蛍光ランプＬ１の定格は１０Ｗで、発光管４は最大径部４ｉの直径寸法Φ１が５０ｍｍ、高さ寸法ｈ１が約６４ｍｍ、最大径部４ｉの水平中心軸から一対の電極封止端部４ｓ、４ｔの下面までの高さ寸法ｈ２が約４０ｍｍである。一対の電極４ｑ、４ｒ間の放電路長は２００〜４００ｍｍであり、ガラスバルブ４ｄの管外径に応じて相違する。例えばガラスバルブの管外径が８ｍｍのとき、放電路長が３５０ｍｍ、管外径が９ｍｍのとき放電路長が３２０ｍｍである。
【００４７】
上記のように構成された略キノコ形をなす発光管４は、口金１に固定されたカバー２内のホルダ３に支持される。口金１は、エジソンタイプのＥ２６形などで、ねじ山を備えた筒状のシェル１ａ、このシェルの一端側の頂部に絶縁部１ｂを介して設けられたアイレット１ｃを備えている。シェル１ａは、銅板等の導電性の金属で構成され、その他端側をカバー２の一端部に被せてシリコーン樹脂等の耐熱性の接着剤またはかしめなどの手段により固定されている。
【００４８】
カバー２は、例えばポリブチレンテレフタレート（ＰＢＴ）などの耐熱性合成樹脂材料により開口部と円筒体部を一体に形成したカバー本体２ａを有し、カバー本体の下端側に口金１のシェル１ａが取り付けられ、カバー本体の上端側には、取付端部である環状の開口取付端部２ｂが形成されている。カバー２の開口取付端部２ｂは、下方に向けて漸次縮径する逆円錐台状部となして、後述するグローブ６の基端側の開口端部６ｄを嵌合するように構成する。この開口取付端部２ｂ内には、カバー本体２ａの開口部と円筒体部との連結部内側の環状凸状段部２ｃ上にて、ホルダ３の開口部の開口下端を載置してシリコーン樹脂等の耐熱性の接着剤により固着している。
【００４９】
すなわち、ホルダ３は、例えばポリブチレンテレフタレート（ＰＢＴ）などの耐熱性合成樹脂材料により有蓋円筒状に形成され、その蓋体をなす円板状の基板部３ａの下面周縁部に、下端側に突出する円筒状の円筒部３ｂを一体に形成し、この円筒部の開口下端を、カバー本体の環状凸状段部２ｃ上に載置して、シリコーン樹脂等の耐熱性の接着剤により固着している。
【００５０】
ホルダ３は、基板部３ａ上に発光管４を載置させて支持する。すなわち、略キノコ形をなす発光管４の螺旋形部４ａの根元部に対応する位置に設けられた一対の直管部４ｂ、４ｃの下端部を載置させて支持する凹部と、これら発光管の下端部同士の間隙内に突出して、その径方向のずれを規制する筒状突部３ｃを突設している。
【００５１】
さらに基板部３ａには、その筒状突部３ｃの外側に挿通孔をそれぞれ形成し、これら挿通孔には、発光管４の一対の電極封止端部４ｓ、４ｔからその外方に突出する細管４ｕ、４ｖと図３（ａ）に示すアウターワイヤ４ｘ、４ｙをそれぞれ挿通させ、シリコーン樹脂等の耐熱性の接着剤により固着させ、ホルダ３の基板部３ａ上に発光管４を固定して支持する。なお、これらカバー２とホルダ３は別体に構成したが、合成樹脂により一体に形成してもよい。
【００５２】
点灯装置５は、図１、２に示すように、発光管４を点灯制御するための点灯回路パターンを形成した回路基板５ａを、縦方向にして口金１内面の一対の縦溝２ｄ、２ｄ内に嵌入し固定している。すなわち、口金１内のカバー２内面に、その直径方向で対向する一対の縦溝２ｄ、２ｄを口金の軸方向に形成し、この縦溝内に回路基板５ａを縦方向にして幅方向両側縁部を嵌入させて固定している。回路基板５ａには、片面または両面に回路パターンが形成され、その実装面には、電解コンデンサ等のリード部品やトランジスタ等のチップ部品等、点灯回路を構成するための複数の電子部品５ｂ・・・が実装されている。
【００５３】
次に、グローブ６は、白熱電球など一般照明用電球などに用いられている横断面が円形のＰＳ形（Ｐｅａｒ  ｓｈａｐｅ  ｔｙｐｅ）バルブの形状をなし、発光管４を覆うように、例えば、厚さが１〜２ｍｍの透光性の合成樹脂材料、例えば、透光性のポリカーボネートなどの材料を用い透明または光拡散性を有する乳白色、ここでは乳白色の白熱電球など、一般照明用電球におけるガラス球形状の滑らかな曲面状に形成されている。すなわち、頂端部６ｇ側に最大径部６ｃを有する略球状に形成された球状部６ａと、基端側の開口端部６ｄ側に球状部の最大径部の直径よりも小径に漸次縮径された縮径部６ｅからなる略円筒状の根元部６ｂを一体に形成する。なお、最大径部６ｃの外径Ｄ１は約５５ｍｍである。
【００５４】
そして、このグローブ６は、図１に示すように、グローブの最大径部６ｃで、発光管のランプ軸ｏ−ｏ、すなわち、グローブの軸心に直交する分割線Ｏａ―Ｏａ（以下「分割線Ｏａ―Ｏａ」と称す）上で上半分、すなわち頂端部６ｇ側であるトップグローブ６Ｘ１と、下半分、すなわち縮径部６ｅ側であるアンダーグローブ６Ｘ２とに横方向（水平方向）に２分割する。
【００５５】
上記構成のグローブ６が、例えば非分割の一体成形品で形成されている場合には、発光管４の最大径部４ｉの外径Φ１の方がグローブの開口端部６ｄの開口径よりも大きいので、この開口端部から発光管を挿入することができない。
【００５６】
しかし、このグローブ６はその分割線Ｏａ―Ｏａでトップグローブ６Ｘ１と、アンダーグローブ６Ｘ２に上下に分割されているので、発光管４をホルダ３に支持して設立した後に、ホルダと直管部４ｂ、４ｃをアンダーグローブ６Ｘ２の開口端部６ｄの挿入し、上方からトップグローブ６Ｘ１をアンダーグローブ６Ｘ２に被せ、これら両グローブの開口端同士の突合せ面６Ｘ１ａ、６Ｘ２ａを超音波溶接により固着して一体化することができる。
【００５７】
すなわち、水平な分割線Ｏａ−Ｏａが発光管４の最大径部４ｉの水平方向の中心線と略一致しているので、これら上下のトップグローブ６Ｘ１、アンダーグローブ６Ｘ２により発光管の全体を覆うことができる。
【００５８】
そして、図１（ｂ）に示すようにグローブ６は、その水平な分割線Ｏａ−Ｏａに沿うトップグローブ６Ｘ１の接合面６Ｘ１ａと、アンダーグローブ６Ｘ２の接合面６Ｘ２ａには、相互に嵌合する嵌合部６Ｘ１ｂ、６Ｘ２ｂを水平な分割線Ｏａ−Ｏａの略全周に亘ってそれぞれ形成する。
【００５９】
すなわち、トップグローブ６Ｘ１は、その接合面６Ｘ１ａの厚さ方向の内側にて、アンダーグローブ６Ｘ２側（図１中、下方）へ突出する断面形状が矩形の嵌合凸条６Ｘ１ｃを水平な線分割線Ｏａ−Ｏの全周に亘って一体に突設している。
【００６０】
一方、アンダーグローブ６Ｘ２は、その接合面６Ｘ２ａの厚さ方向の内側にて、トップグローブ６Ｘ１の嵌合凸条６Ｘ１ｃに嵌合する断面形状が矩形の嵌合溝６Ｘ２ｃを水平な線分割線Ｏａ−Ｏの全周に亘って一体に突設している。
【００６１】
これら嵌合部６Ｘ１ｂ、６Ｘ２ｂには、嵌合した状態でその外側から直接または間接的に所定時間超音波が加えられる。これにより嵌合部６Ｘ１ｂ、６Ｘ２ｂの少なくとも一部が相互に溶融して固着される。
【００６２】
なお、これら嵌合用の内側の嵌合凸条６Ｘ１ｃと内側の嵌合溝６Ｘ２ｃは、その上下または内、外を逆にしてもよい。すなわち、図９（ｂ）に示すように、内側の嵌合凸条６Ｘ１ｃをアンダーグローブ６Ｘ２側に形成し、内側の嵌合溝６Ｘ２ｃをトップグローブ６Ｘ１側に形成してもよい。
【００６３】
上記に接合され構成されるグローブ６は、トップグローブ６Ｘ１の接合面６Ｘ１ａと、アンダーグローブ６Ｘ２の接合面６Ｘ２ａの分割接合部６Ｘ３に境界線が生じるが、この境界線を目立てさせないために、次のように構成する。
【００６４】
すなわち、図４に示すように、縮径部６ｅ側であるアンダーグローブ６Ｘ２の内面に水平な分割線Ｏａ−Ｏａに略平行する段部６ｈを一体に形成する。段部は、凸条をなす断面形状が略三角形状の階段状をなして形成され、分割接合部６Ｘ３に沿い略平行に内周面全周に連続するリング状をなし、上端開口から下端開口に亘り、下方に行くに従い間隔を広くし最下端を狭くした、複数本、本実施例では９本の段部を形成する。
【００６５】
段部６ｈは、断面が階段状をなすように連続して形成され、水平な上面部６ｈ１と、この上面部から下方に垂下する側面部６ｈ２を有する断面略三角形状をなすように一体に形成する。これにより、段部における側面部６ｈ２と次の段部の上面部６ｈ１とのつなぎ目の角部６ｈ３が暗部となってリング状の細い線が現れる。この細い線が乳白色をなすグローブ６の内面から外面に薄く投影され、接合部６Ｘ３の境界線と一体化されたリング状の縞模様となって表面に現れることにより境界線が独立して浮かび上がらないために接合部が目立たなくなる。
【００６６】
特に、点灯時には、段部６ｈの断面が略三角形状をなす連続した凹凸、換言すれば、連続したプリズムの作用によって、発光管４からの光が反射、屈折を繰り返して拡散される。詳細には、断面が略三角形状をなす段部６ｈの上面部６ｈ１によって発光管から下方に向かう光が反射または屈折され拡散され、発光管４からの横方向に向かう光が段部６ｈの側面部６ｈ２で反射、屈折が繰り返されて拡散される。特に接合部６Ｘ３は発光管の最大径部４ｉが接近して配置され、また、縮径部６ｅ側であるアンダーグローブ６Ｘ２の内面においては一対の直管部４ｂ、４ｃが近接しているために、接合部６Ｘ３とアンダーグローブ６Ｘ２の内面は、より強い光で拡散される。また、段部６ｈのリング状の縞模様と発光管４の螺旋形状の影とが略平行に形成されるので、点灯時の発光管のバルブ形状および接合部が一層目立ち難くなる。
【００６７】
この光の拡散作用により、接合部６Ｘ３の境界線および段部６ｈによるリング状の縞模様が拡散されてぼやけた状態になって乳白色の内面から外面に投影され一層目立ち難くなる。
【００６８】
この光の拡散作用は、消灯した状態でも程度の差はあるが生じており、境界線および段部６ｈによるリング状の縞模様が極端にはっきりと現れないように作用している。
【００６９】
上記に接合され、接合部６Ｘ３の境界線が目立ち難く処理されて構成されたグローブ６は、その根元部６ｂ、すなわち、基端側に開口端部６ｄが形成され、この開口端部の縁部がホルダ３の円筒部３ｂと共に、カバー２の開口取付端部２ｂの内側に嵌合され、例えばシリコーン樹脂やエポキシ樹脂などの耐熱性の接着剤により固定される。
【００７０】
なお、この電球形蛍光ランプＬ１は、発光管４を取り付けたホルダ３をカバー２に固定し、発光管部分が上述した手段によりグローブ６で覆われた後に、カバー２内に点灯装置５を取り付け口金１が装着される。
【００７１】
上記により、点灯装置５をＥ２６形口金内に内蔵し、略キノコ形の螺旋形の発光管４を有し、定格ランプ電力が１０Ｗの白熱電球６０Ｗに相当する電球形蛍光ランプＬ１が構成される。
【００７２】
この電球形蛍光ランプＬ１の寸法は、図２に示すように、例えば全長Ｈ１（口金１部を含む）が約１０９ｍｍ、膨出した略球形をなす最大径部Ｄ１が約５５ｍｍである。また、この発明が適用できる電球形蛍光ランプＬ１は、全長Ｈ１（口金１部を含む）が１１０ｍｍ以下、膨出した最大径部４ｉの直径寸法Ｄ１が６０ｍｍ以下のものが好ましい。
【００７３】
そして、この電球形蛍光ランプＬ１は、グローブ６を把持して廻すことにより、白熱電球等が装着されるＥ２６形口金対応のソケットへの着脱が行なわれて点灯される。例えば図５に示すダウンライトなどの照明器具２０の光源として用いられる。この図５は照明器具２０を断面して示す説明図で、図において２１は器具本体、２２はこの本体２１内に設けられたＥ２６型などの口金１に対応するソケット、２３は反射体で、上記ソケット２２に、上述した電球形蛍光ランプＬ１が装着される。
【００７４】
電球形蛍光ランプＬ１は、白熱電球など一般照明用電球と近似、または同一形状をなしているので、器具の配光を一般照明用電球の配光に近似または同一となすことができ、ソケット２２近傍の反射体２３への光の照射量が充分に確保され、反射体の光学設計とおりの器具特性を得ることができる。
【００７５】
また、電球形蛍光ランプＬ１の発光管の螺旋形部４ａが下方に向いているので、直下照度を向上させることができる。また、頂端部６ｇ側から見たときには、その分割接合部６Ｘ３の境界線は見えず、外観上の美観を向上できる。
【００７６】
このように本発明に関わる電球形蛍光ランプは、白熱電球などの一般照明用電球と同じ外形と、より高い発光特性が得られるとともに一般照明用電球を使用する照明器具２０に装着できるので各種照明器具への適用率を一層高めることができる。
【００７７】
以上、この電球形蛍光ランプＬ１によれば、白熱電球など一般照明用電球に近似、または同一形状にした外観を有する小型で高効率の電球形蛍光ランプを提供することができる。
【００７８】
これにより、白熱電球式照明器具の光源として、白熱電球に代替可能な汎用性を有する電球形蛍光ランプを提供することができ、照明器具への適用率を一層高めることができ、照明器具の白熱電球の代替として用い、省電力、高効率の照明を提供することができる。
【００７９】
特に、発光管４は、径大な螺旋径部からなる最大径部４ｉを有する略円錐台形の螺旋形部４ａと、螺旋形部の下部に一対の直管部４ｂ、４ｃを有し、より一層長い１本の連通した放電路が形成されるので、発光効率を飛躍的に向上させることができる。
【００８０】
さらに、外側全体の仮想外形が、略キノコ形をなす発光管４が発光することにより白熱電球のシルエットに近似した配光をもった照明を行うことができる。さらに、電球の中心部分となる発光管４の螺旋形部４ａは、略円錐台形をなし、螺旋形部の下方に径大な螺旋径部からなる最大径部４ｉを有する形状に構成され、グローブ６内壁に沿って発光管４の外面が近接ないしは当接する程度の大きさとすることで発光管４の放電路を長くできるので、小型でありながら長い放電路が確保され光束の増大と発光効率の向上を図ることができ、十分な明るさをもった照明を行うことができ、例えば、定格ランプ電力１０Ｗで白熱電球６０Ｗに相当する電球形蛍光ランプを構成することが可能となる。
【００８１】
また、発光管４に膨出した最大径部４ｉがあるので径小な開口端部６ｄを有する通常のグローブは最大径部を挿通できず全体を覆うことができなかったが、分割したグローブ６の頂端部側であるトップグローブ６Ｘ１と縮径部側であるアンダーグローブ６Ｘ２を後から接合して組み立て一体化することにより全体を覆うことが可能となった。
【００８２】
また、発光管４の螺旋形の直径が最大である最大径部４ｉに略対応するグローブ６の最大径部６ｃに、水平分割線Ｏａ―Ｏａを形成しているので、この螺旋形発光管４に、グローブ６の縮径開口端６ｄの直径よりも螺旋形の直径が大きい膨出部の最大径部４ｉを形成して放電路長の延長を図っても、この螺旋形発光管４をグローブ６内に容易に収容することができる。このために、電球形蛍光ランプ１の組立作業性の効率を増大させることができる。
【００８３】
さらにトップグローブ６Ｘ１とアンダーグローブ６Ｘ２の接合部は、縮径部側の内面に分割接合部に略平行する複数の段部を形成したことにより、消灯時には、接合部の境界線と一体化されたリング状の縞模様となって表面に現れることにより接合部の境界線が独立して浮かび上がらないために目立たなくなる。
【００８４】
また、点灯時においても、段部による光の拡散作用により、境界線および段部によるリング状の縞模様が拡散されてぼやけた状態になって乳白色の内面から外面に投影され目立ち難くなる。同時に、消灯した状態でも光の拡散作用は程度の差はあるが生じており、境界線および段部によるリング状の縞模様が極端にはっきりと現れない。これら効果は、グローブを乳白色に構成することと相まって一層効果的に目立ち難くすることができる。同時に、複数の段部を一体に形成したので、補強がなされ強度の強いグローブを提供することもできる。
【００８５】
グローブ６は、そのランプ軸（垂直軸）ｏ−ｏに直交する水平な分割線Ｏａ―Ｏａにより分割されているので、図５に示すように器具本体に装着した場合、頂端部側から見たときには、その分割接合部の境界線は見えず、外観上の美観を向上できるうえに、その接合縁影が投影されにくくなって、点灯中の外観も向上させることができる。
【００８６】
また、水平な分割線Ｏａ―Ｏａの接合面６Ｘｌａ，６Ｘ２ａの接合部には、嵌合部６Ｘｌｂ，６Ｘ２ｂをそれぞれ形成しているので、これら嵌合部同士を嵌合させることにより簡単迅速に同心状に嵌合させることができ、接合面の芯ずれを防止または低減することができる。
【００８７】
以上、本実施例において、図８（ａ）に示すように、頂端部６ｇ側の内面にも分割接合部に略平行する複数の段部６ｈを形成して構成してもよい。この構成により、グローブ全体が縞模様となり一層接合部の境界線が目立たなくなると共に、点灯時にはグローブ全体に光の拡散作用が生じて一層目立ち難くなる。
【００８８】
また、図６に示すように、段部は、凹条をなす断面形状が略三角形状の段部６ｉで構成してもよく、上記と同様に縮径部側に加え、頂端部側にも凹条の段部６ｉを形成してもよい。
【００８９】
また、図７に示すように、グローブ６は、分割された縮径部６ｅ側の外面全体に、例えば、シボ加工により細かい多数の凹凸部を形成した光拡散処理６ｊを施して構成してもよい。拡散処理の粒度を下方または上方に向かって徐々に粗くするなど、粒度を変えるようにしてもよい。
【００９０】
この構成によれば、光拡散処理６ｊにより接合部６Ｘ３近辺の光が拡散され境界線が目立たなくなる。特に接合部は発光管４の最大径部４ｉが接近して配置されおり、より強い光で拡散される。また、縮径部６ｅ側であるアンダーグローブ６Ｘ２の内面においても一対の直管部４ｂ、４ｃに近接しているために、強い光で拡散され、接合部近辺による光拡散作用とアンダーグローブ６Ｘ２内面全体の拡散作用と相まって、一層接合部の境界線が目立たなくなる。図８（ｂ）に示すように、頂端部６ｇ側の外面にも光拡散処理６ｊを施して構成してもよい。
【００９１】
図８（ｃ）に示すように、縮径部６ｅ側の内面に分割接合部に略平行する複数の段部６ｈを形成し、外面に光拡散処理６ｊを施して構成してもよい。この構成によれば、内面の複数の段部６ｈと、外面の光拡散処理６ｊが組み合わされて、より一層接合部の境界線が目立たなくなる。図８（ｄ）に示すように、頂端部６ｇ側にもその内面に分割接合部に略平行する複数の段部６ｈを形成し、外面に光拡散処理６ｊを施して構成してもよい。
【００９２】
図８（ｅ）に示すように、縮径部６ｅ側の外面に光拡散処理６ｊを施し、頂端部６ｇ側の内面に分割接合部に略平行する複数の段部６ｈを形成しても、図８（ｆ）に示すように、逆に頂端部６ｇ側の外面に光拡散処理６ｊを施し、縮径部６ｅ側の内面に分割接合部に略平行する複数の段部６ｈを形成してもよい。  
【００９３】
また、グローブ６の嵌合部６Ｘ１ｂ、６Ｘ２ｂは、図９（ａ）  に示すように構成してもよい。すなわち、トップグローブ６Ｘ１の接合面６Ｘ１ａの厚さ方向略中間部にて、断面形状が、例えば半円形の嵌合溝６Ｘ１ｄを水平な分割線Ｏａ−Ｏの全周に亘って一体に突設し、この嵌合溝６Ｘ１ｄに嵌合する断面形状が円弧状の嵌合凸条６Ｘ２ｄをアンダーグローブ６Ｘ２の水平な分割線Ｏａ−Ｏの全周に亘って一体に突設してもよい。また、嵌合溝６Ｘ１ｄをアンダーグローブ６Ｘ２側に設け、嵌合凸条６Ｘ２ｄをトップグローブ６Ｘ１に設けてもよい。要すれば、グローブの嵌合部６Ｘ１、６Ｘ２は、トップグローブ６Ｘ１の接合面６Ｘ１ａと、アンダーグローブ６Ｘ２の接合面６Ｘ２ａとが適宜嵌合し得るものであればよい。
【００９４】
また、図９（ｂ）に示すように、アンダーグローブ６Ｘ２の内側の嵌合凸条６Ｘ１ｃの上面に断面三角形状の凸条を一体に形成し、これを、例えば、超音波により溶融させトップグローブ６Ｘ１の内側の嵌合溝６Ｘ２Ｃに溶着させるように構成してもよい。
【００９５】
２分割されたグローブ６の接合は、シリコーン樹脂等の透明で耐熱性を有する接着剤６２を介して接合してもよい。また、グローブ６の外面に、所定形状の図示省略した袋状の熱収縮フィルムを被せ、この熱収縮フィルムを熱収縮させることにより、グローブのトップグローブ６Ｘ１と、アンダーグローブ６Ｘ２同士を一体に結合させることもできる。
【００９６】
また、グローブ６は、透光性のポリカーボネートなどの材料を用いて構成したが、ソーダライムガラスなどのガラス材料で構成し専用マシーンなどにより自動的に製造するようにしてもよい。
【００９７】
さらに、縦方向（垂直方向）に２分割してもよい。この場合分割接合部に略平行する複数の縦方向の段部を形成して構成する。
【００９８】
変形例を示す、図６〜図９には、図１〜図５と同一部分に同一の符号を付して、詳細な説明は省略した。
【００９９】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１００】
【図１】本発明の第１の実施形態の電球形蛍光ランプを示し、（ａ）は正面視の縦断面図、（ｂ）は（ａ）におけるＡ部を拡大し、トップグローブとアンダーグローブを接合する前の状態を示す断面図。
【図２】同じく電球形蛍光ランプを示す左側面視の縦断面図。
【図３】同じく電球形蛍光ランプの発光管を示し、（ａ）は正面図、（ｂ）はグローブと発光管の関係を下方から見て示した図。
【図４】同じく電球形蛍光ランプのグローブを示し、（ａ）は一部を断面した正面図、（ｂ）は（ａ）のＡ部を拡大して示す断面図。
【図５】同じく電球形蛍光ランプを用いた照明器具を断面して示す説明図。
【図６】同じく電球形蛍光ランプにおけるグローブの変形例を示し、（ａ）は一部を断面した正面図、（ｂ）は（ａ）のＡ部を拡大して示す断面図。
【図７】同じく電球形蛍光ランプにおけるグローブの他の変形例を示し、（ａ）は一部を断面した正面図、（ｂ）は（ａ）のＡ部を拡大して示す断面図。
【図８】同じく電球形蛍光ランプにおけるグローブのさらに他の変形例を示す正面図。
【図９】同じく電球形蛍光ランプにおけるグローブの接合部における変形例を示す断面図。
【図１０】従来の電球形蛍光ランプを、グローブを断面して示す正面図。
【符号の説明】
【０１０１】
Ｌ１：電球形蛍光ランプ
１：口金
２：カバー
３：ホルダ
４：発光管
４ａ：螺旋形部
４ｄ：バルブ
４ｉ：最大径部
４ｑ、４ｒ：電極
５：点灯装置
６：グローブ
６ｃ：最大径部
６ｄ：開口端部
６ｅ：縮径部
６ｇ：頂端部
６ｈ、６ｉ：段部
６ｊ：光拡散処理
６Ｘ３：分割接合部
２０：照明器具
２１：器具本体
２２：ソケット
ｏ−ｏ：旋回軸（ランプ軸）
Ｏａ―Ｏａ：分割線
【図１】
2009104940.tif 000003
【図２】
2009104940.tif 000004
【図３】
2009104940.tif 000005
【図４】
2009104940.tif 000006
【図５】
2009104940.tif 000007
【図６】
2009104940.tif 000008
【図７】
2009104940.tif 000009
【図８】
2009104940.tif 000010
【図９】
2009104940.tif 000011
【図１０】
2009104940.tif 000012